(57)【要約】【課題】  新たな設備やハードウェアなどを付加することなく、既存のものをそのまま利用するようにして、着信音や待受画像などを含む各種内部設定情報の設定変更を可能とした携帯通信端末を得る。【解決手段】  基地局からの情報により所在範囲を識別できる携帯通信端末であり、この所在範囲と内部の各種設定情報とをリンクさせて格納した格納テーブル＃１〜＃３を、メモリに設けておく。そして、識別した所在範囲に基づいて格納テーブルを検索し、この検索結果に応じた設定情報により、内部設定の変更をなすよう制御する。【選択図】      図２
2006229378.tif 000002
【特許請求の範囲】
【請求項１】
基地局からの情報により所在範囲を識別できる携帯通信端末であって、前記所在範囲と内部の各種設定情報とをリンクさせて格納した格納テーブルを含むことを特徴とする携帯通信端末。
【請求項２】
識別した前記所在範囲に基づいて前記格納テーブルを検索し、この検索結果に応じた設定情報により、内部設定の変更をなすよう制御する制御手段を、更に含むことを特徴とする請求項１記載の携帯通信端末。
【請求項３】
前記制御手段は、現在の所在範囲に加えて直前の所在範囲を含む過去の所在範囲の履歴を基に、前記内部設定の変更をなすようにしたことを特徴とする請求項２記載の携帯通信端末。
【請求項４】
前記制御手段は、現在の所在範囲に加えて時刻情報を基に前記内部設定の変更をなすようにしたことを特徴とする請求項２記載の携帯通信端末。
【請求項５】
前記格納テーブルには、所在範囲にリンクした各種設定情報の有効／無効を示すフラグを有することを特徴とする請求項１〜４いずれか記載の携帯通信端末。
【請求項６】
前記設定情報は、少なくとも着信音情報及び待受画像情報の一つを含むことを特徴とする請求項１〜５いずれか記載の携帯通信端末。
【請求項７】
基地局からの情報により所在範囲を識別できる携帯通信端末の動作制御方法であって、前記所在範囲と内部の各種設定情報とをリンクさせて格納した格納テーブルを予め準備し、
識別した前記所在範囲に基づいて前記格納テーブルを検索し、この検索結果に応じた設定情報により、内部設定の変更をなすよう制御するステップを含むことを特徴とする動作制御方法。
【請求項８】
現在の所在範囲に加えて直前の所在範囲を含む過去の所在範囲の履歴を基に、前記内部設定の変更をなすようにしたことを特徴とする請求項７記載の動作制御方法。
【請求項９】
現在の所在範囲に加えて時刻情報を基に前記内部設定の変更をなすようにしたことを特徴とする請求項７記載の動作制御方法。
【請求項１０】
前記設定情報は、少なくとも着信音情報及び待受画像情報の一つを含むことを特徴とする請求項７〜９いずれか記載の動作制御方法。
【請求項１１】
基地局からの情報により所在範囲を識別できる携帯通信端末の動作制御方法でをコンピュータに実施させるためのプログラムであって、前記所在範囲と内部の各種設定情報とをリンクさせて格納した格納テーブルを予め準備しておき、
識別した前記所在範囲に基づいて前記格納テーブルを検索し、この検索結果に応じた設定情報により、内部設定の変更をなすよう制御する処理を含むことを特徴とするプログラム。
【発明の詳細な説明】
【技術分野】
【０００１】
本発明は携帯通信端末及びその動作制御方法並びにプログラムに関し、特に着信音や待受画像などの各種設定情報の変更機能を有する携帯電話機に関するものである。
【背景技術】
【０００２】
従来、携帯電話機の呼び出し音である着信音を、特許文献１に開示されるように、時刻情報を元にして設定変更する技術がある。また、特許文献２を参照すると、携帯電話機の現在の位置に依存して着信音を設定変更する技術もある。更に、特許文献３を参照すると、位置に依存して携帯電話機の使用条件を制限（電源オフや着信音量消去など）する技術が開示されている。更にはまた、特許文献４には、携帯電話機の使用状況に応じて適切な着信報知方法を自動的に選択する技術が開示されている。
【０００３】
【特許文献１】特開２００４−２３３４４号公報
【特許文献２】特開２００３−１５２８２３号公報
【特許文献３】特開２００１−３３９７６１号公報
【特許文献４】特開平１０−３２２７７６号公報
【発明の開示】
【発明が解決しようとする課題】
【０００４】
特許文献１においては、時刻情報を元に着信音を設定変更するものであるから、場所に依存して着信音を設定変更することはできないという欠点がある。また、特許文献２においては、ＧＰＳ機能を設けてこのＧＰＳにより取得された絶対位置に基づいて着信音を設定変更するものであるから、ＧＰＳ機能を携帯電話機に組込む必要があり、重量、価格、消費電力、小型化の面で不利となるという欠点がある。
【０００５】
更に、特許文献３においては、特定エリア内での使用制限をなすものであるから、当該エリアの限定が必要であり、そのために新たにエリア内に発信機能が必要になり、携帯電話機にはそれを受信する受信機能が必要となるという欠点がある。更にはまた、特許文献４においては、着信報知方法のみに言及しており、待ち受け画面などの他の各種設定情報の変更は何等考慮されていない。
【０００６】
本発明の目的は、新たな設備やハードウェアなどを付加することなく、既存のものをそのまま利用するようにして、着信音や待受画像などを含む各種内部設定情報の設定変更を可能とした携帯通信端末及びその動作制御方法並びにプログラムを提供することである。
【課題を解決するための手段】
【０００７】
本発明による携帯通信端末は、基地局からの情報により所在範囲を識別できる携帯通信端末であって、前記所在範囲と内部の各種設定情報とをリンクさせて格納した格納テーブルを含むことを特徴とする。
【０００８】
本発明による携帯通信端末の動作制御方法は、基地局からの情報により所在範囲を識別できる携帯通信端末の動作制御方法であって、前記所在範囲と内部の各種設定情報とをリンクさせて格納した格納テーブルを予め準備し、識別した前記所在範囲に基づいて前記格納テーブルを検索し、この検索結果に応じた設定情報により、内部設定の変更をなすよう制御するステップを含むことを特徴とする。
【０００９】
本発明によるプログラムは、基地局からの情報により所在範囲を識別できる携帯通信端末の動作制御方法でをコンピュータに実施させるためのプログラムであって、前記所在範囲と内部の各種設定情報とをリンクさせて格納した格納テーブルを予め準備しておき、識別した前記所在範囲に基づいて前記格納テーブルを検索し、この検索結果に応じた設定情報により、内部設定の変更をなすよう制御する処理を含むことを特徴とする。
【発明の効果】
【００１０】
本発明によれば、携帯通信端末のユーザが何等の操作を行なうことなく、特定の空間に移動した際には、その空間固有の識別情報を以って携帯通信端末の呼び出し音や待受画像のなどの各種内部設定情報を変更できるという効果がある。また、本発明によれば、自動で呼び出し音や待受画像の各種設定情報が変更されるので、ユーザが全く気にすることなく、例えば、無音鳴動など、その場に応じた設定に変更できるという効果がある。更には、既存のハードウェア資源を用いて容易に実現可能であるので、重量、価格、消費電力、小型化の面で有利になるという効果がある。
【発明を実施するための最良の形態】
【００１１】
以下に、図面を参照しつつ本発明の実施の形態について説明する。図１は、本発明が適用される一般的な携帯電話機システム構成を示す図である。携帯電話機４の基地局ネットワークに属する基地局１は、携帯電話機４を交信相手として登録している。携帯電話機４が基地局１の受持ち区域（セルＡ）から、同一のネットワークに属する基地局２の受持ち区域（セルＢ）に向かって移動すると、当該携帯電話機４と基地局１及び２との間のそれぞれの電波状況から、携帯電話機４の交信相手としての登録先が基地局２に切り替わる。これらの基地局はそれぞれ独自の基地局情報を以って無線通信上識別可能であり、携帯電話機４からも当然識別が可能である。
【００１２】
また、携帯電話機４には、呼び出し音として用いる音データや待受画面に表示する画像データを保存しているメモリ部４１と、携帯電話機４の全体を制御しているＣＰＵ部４２とが存在するものとする。
【００１３】
図２は、携帯電話機４のメモリ部４１の詳細内容を示している。メモリテーブル＃２には、着信があった際に呼び出し音として鳴動させるための音データが、また、メモリテーブル＃３には、待受画面に表示する画像データが、それぞれ格納されている。そして、メモリテーブル＃１には、図１で示した各基地局毎に識別可能な基地局情報と、メモリテーブル＃２およびメモリテーブル＃３に格納されている画像データおよび音データへの紐付け（リンク）された情報がユーザによって記録されている。なお、図２においては、基地局１〜３とセルＡ〜Ｃは一対一に対応するものとして、基地局もＡ〜Ｃとして示しており、またメモリテーブ＃１の有効／無効のフラグについては、後述の他の実施の形態で説明するものとする。
【００１４】
さて、携帯電話機４が、図１で示すように、基地局１との交信範囲（セルＡ）から基地局２の交信範囲（セルＢ）に移動した場合、その基地局２の基地局情報をキーとして携帯電話機４のＣＰＵ部４２は同メモリ部４１を参照して、図２で示したメモリテーブル＃１に一致する基地局情報が格納されていないか確認を行う。もし、一致する基地局情報があれば、それに紐付けされている画像データをメモリテーブル＃３から抽出して携帯電話機４の待受画面へ表示するようにする。
【００１５】
また、基地局２の交信範囲（セルＢ）に携帯電話機４が存在する際に着信があった場合、先の画像データ抽出と同様に、ＣＰＵ部４２はメモリテーブル＃１を基地局２の基地局情報をキーに検索し、合致すればそこに紐付けされている音データをメモリテーブル＃２より抽出して呼び出し音として鳴動させる。
【００１６】
このように、本発明では、携帯電話機の交信相手である特定の基地局、すなわち所在範囲に応じて、自動的に呼び出し音や待受画像を切り替えることを実現するものである。これにより、職場や家庭、騒々しい場所や静かな場所など、ある空間に応じた呼び出し音や待受画像の設定が可能となる。また、電車などの乗車駅と降車駅で設定すれば移動中の呼び出し音を無音とし、目的地や自宅では好みの呼び出し音を鳴動させることも可能である。
【００１７】
再度図１を参照すると、基地局１はセルＡに在圏している携帯電話機との交信を担当している。また、同様に基地局２はセルＢの、基地局ＣはセルＣの各範囲を担当し、それらがまとまって携帯電話機の交信先となる携帯電話機システム（基地局ネットワーク）を構成している。この基地局ネットワークにある携帯電話機４は、基地局ネットワークに属する最適な無線電話交信先として、その基地局の電界強度等の条件から、基地局１、基地局２、基地局３から割り当てられる。これらの基地局は、それぞれ固有の基地局情報を有しており、各受け持ち範囲（セル）にその基地局情報を電波として放出しており、携帯電話機システム上において互いに識別が可能となっている。
【００１８】
図１では、携帯電話機４が移動し、現在交信先となっている基地局１が受け持つセルＡから、より良い交信先として基地局２が受け持つセルＢに移る場合を想定している。この場合、携帯電話機４の交信先は基地局１から基地局２へと遷移する。ここで、図２に示す例は、ユーザが携帯電話機４と共にセルＡ内で呼び出し音や待受画像の設定を、それぞれ「ノクターン」、「大自然」として保存した場合、ＣＰＵ部４２によって携帯電話機４のメモリ部４１が設定された例を挙げている。また、ユーザが携帯電話機４と共にセルＢ内で前述の様に呼び出し音や待受画像の設定をそれぞれ「無音」、「カレンダー」とした場合も、同様にＣＰＵ部４２によって携帯電話機４のメモリ部４１のメモリテーブル＃１は更新される。
【００１９】
さて、携帯電話機４は、基地局１から基地局２に交信相手が変更となると、すなわちセルＡからセルＢに移動すると、予めメモリ部４１に格納されたメモリテーブル＃１上の情報と、基地局２から放出されている基地局情報が合致するかを、ＣＰＵ部４２で判断し、合致した場合は、その情報に従って待受画像を、図２を例にとれば、「カレンダー」へと自動的に変更する。また、セルＢに在圏する際に、着信により呼び出し音を鳴動させる場合は、同様にメモリ部４１の格納情報に従って、基地局２の基地局情報に紐付けされている呼び出し音、図２を例に取れば、「無音」、つまり鳴動を抑制する。
【００２０】
また、図２のメモリテーブル３１に存在しない基地局情報を持つ基地局が交信先となっている場合には、デフォルトの情報を参照することにより、従来の携帯電話機同様に、ユーザが設定した内容で呼び出し音や待受画像の設定が自動的に行われる。以上、これら一連の動作によって、携帯電話機４の存在場所、すなわち所在範囲に応じた呼び出し音の制御や待受画像の変更を自動的に実施可能となる。
【００２１】
図３は、本発明の実施の形態を具体的に説明するための例を提示する図である。図３を参照すると、自宅３１に居る際には、静かな音楽を呼び出し音とし、待受画面にはペットの写真を設定する。また、最寄駅３３および降車駅３４では、呼び出し音を「無音」として設定し、また外出先３２では、特徴的な音を設定して他者の携帯電話機の鳴動と差別化し、画面にはスケジュールカレンダを設定しておく。この場合、図２の携帯電話機４のメモリテーブル＃１には、４つのセルＡ〜Ｄに応じた基地局情報とそれに紐付けされた画像データと音データの情報が登録され、携帯電話機を持った所有者の移動に応じて、自動的に、プライベートな自宅、通勤途上での無音鳴動、オフィシャルな外出先と、設定を切り替えることが可能となる。
【００２２】
図４〜図６を参照すると、上述した本発明の実施の形態の一連の動作についてのフローチャートが示されている。先ず、図４は設定に関する動作フローを示している。ここでは、例として呼び出し音の紐付け設定を示している。ステップＳ１０１で、メモリ部４１のメモリテーブル＃２に保存されている呼び出し音のリスト表示を実施する。ユーザは端末操作でステップＳ１０２にて任意の呼び出し音を選択しサブメニューを表示させる。そのサブメニューには、紐付け先の選択ができる項目があり、ステップＳ１０３で現在接続されている基地局へ紐付けするのか、デフォルトの設定として紐付けする（ステップＳ１０８）のか選択を実施する。
【００２３】
基地局へ紐付けの場合には、ステップＳ１０４で現在の接続中基地局情報を取得し、ステップＳ１０５でこの取得情報がメモリテーブ＃１に登録済みかどうかを判定し、新規であれば、ステップＳ１０６で基地局情報とそれに紐付けされる呼び出し音を追加する。登録済みであれば、ステップＳ１０７で当該基地局情報に対する呼び出し音を更新する。これらの選択作業をメモリ部４１のメモリテーブル＃１に反映することで設定が完了する。なお、例として呼び出し音を挙げているが、待受画面へ貼り付ける画像データの紐付け作業も同様の手法で可能である。
【００２４】
次に、図５を参照すると、着信音の鳴動に関する動作フローを示している。ステップＳ２０１で基地局からの携帯電話機の呼び出し、つまり着信が通知されると、ステップＳ２０２、Ｓ２０３に示す様に、現在の基地局情報をキーとして、図４で作成したメモリ部４１上のメモリテーブル＃１から該当する基地局情報の登録を検索する。登録無しの場合は、ステップＳ２０４、Ｓ２０６に示す様に、デフォルトとして紐付け登録されている呼び出し音を鳴動させる。登録有りの場合は、ステップＳ２０５、Ｓ２０６に示す様に、基地局情報に紐付けされている呼び出し音を鳴動させる。
【００２５】
次に、図６を参照すると、待受画面に表示する待受画像の変更に関する動作フローを示している。ステップＳ３０１で移動等によって携帯電話機の接続先基地局が変更になると、ステップＳ３０２、Ｓ３０３に示す様に、新たに接続先となった基地局情報をキーとして、メモリ部４１のメモリテーブル＃１ににより該当する基地局情報の登録を検索する。登録無しの場合は、ステップＳ３０４、Ｓ３０６に示す様に、デフォルトとして紐付け登録されている画像データを待受画面へ表示する。登録有りの場合は、ステップＳ３０５、Ｓ３０６に示す様に、基地局情報に紐付けされている画像データを待受画面へ表示する。
【００２６】
次に、本発明の他の実施の形態について説明する。上記の実施の形態に示した呼び出し音や待受画像などの設定情報の変更のみならず、呼び出し音量や機能ロック設定、マナーモード設定など各種の設定情報と紐付けすることが考えられる。これらを実現することにより、移動中のマナーモードへの自動移行や、プライベート／オフィシャルを使い分けなど、利便性がより向上することが見込まれる。
【００２７】
また、予め未知の基地局接続時の変更設定を有効とするか無効とするかを選択するようにすることもできる。この場合には、図２のメモリテーブル＃１に示すように、有効／無効のフラグを設けておくことで可能である。また、図６のステップＳ３０４ステップを、図７のステップＳ３０４−１〜Ｓ３０４−３に置き換えることにより、未知の基地局や圏外時での無用な変更の発生を抑制することが可能となる。
【００２８】
すなわち、図６のステップＳ３０３の登録無しの場合に、ステップＳ３０４−１で、動作確認を行つてデフォルトに変更するか、変更しないかの選択後、変更するが選択されると、ステップＳ３０４−２で、デフォルトに紐付けされている画像データ情報（図２のメモリテーブル＃１参照）の取得を行う。変更するが選択されると、ステップＳ３０４−３で、現在の画像データ情報を取得をなすようにするのである。
【００２９】
更にはまた、画像や着信音の設定変更条件として、現在の接続先基地局に加えて直前の接続先基地局の情報をも併せて用いれば、移動の方向性を持った設定の自動変更も可能となる。具体的には、同じ基地局に接続されても外出先へ出かける際と帰宅する際で、同じ変更トリガではなく別の変更トリガとして扱うことも可能である。同様に、基地局情報と併せて時刻情報を持たせても同様に別トリガとして用いることも可能となる。
【００３０】
併せて、メモリ部４１のメモリテーブルについてもメモリテーブル＃１を分解し、図８に示すように、メモリテーブル＃４及びメモリテーブル＃５の様に分けることにより、例えば、メモリテーブル＃５には、「オフィス」、「自宅」、「移動中」などの設定セットを設け、メモリテーブル＃４には、その設定セットを紐付けするようにすることにより、個々に設定を行うより簡便な方策も採ることが考えられる。
【００３１】
これら上記実施の形態では、携帯電話機をその対象として挙げたが、ＰＨＳや他の移動通信機器でも、接続する基地局が特定されるのであれば、同様に機能の実装が可能である。例えば、ＰＨＳや無線ＬＡＮを用いた場合は、一般的に携帯電話機より１基地局の受持ち範囲（１セルの大きさ）が小さいため、特定の店舗や通りなど、よりスポット的なシステムの構築が可能となる。
【００３２】
なお、上記の実施の形態の動作は、予めプログラムとしてその動作手順を格納しておき、これをコンピュータであるＣＰＵにより読取らせて実行させるよう構成できることは明白である。
【図面の簡単な説明】
【００３３】
【図１】本発明が適用される移動通信システムの概略を示す図である。
【図２】携帯電話機４のメモリ部４１を構成するメモリテーブルの内容を示す図である。
【図３】本発明の実施の形態を説明する図である。
【図４】本発明の実施の形態における情報設定の動作フローである。
【図５】本発明の実施の形態における着信鳴動時の動作フローである。
【図６】本発明の実施の形態における待ち受け画像変更時の動作フローである。
【図７】本発明の他の実施の形態における待受画像変更時の動作フローである。
【図８】本発明の別の実施の形態におけるメモリ部４１を構成するメモリテーブルの内容を示す図である。
【符号の説明】
【００３４】
Ａ〜Ｃ  セル
１〜３  基地局
４  携帯電話機
【図１】
2006229378.tif 000003
【図２】
2006229378.tif 000004
【図３】
2006229378.tif 000005
【図４】
2006229378.tif 000006
【図５】
2006229378.tif 000007
【図６】
2006229378.tif 000008
【図７】
2006229378.tif 000009
【図８】
2006229378.tif 000010